(57)【要約】【課題】丸刃によるロール紙の切断が不揃いとならず、ガイドレールに沿って移動するホルダーの往路と復路のどちらでもロール紙を切断できるように工夫したロール紙のカッター装置を提供する。【解決手段】ガイドレールに沿って丸刃を装備したホルダーを駆動手段を介して往復摺動させることによってロール紙の自動切断を行うカッター装置において、前記ホルダーに前記ガイドレールに設けた案内軌道と圧接嵌合することによって回転移動するガイドローラを設け、このガイドローラに駆動丸刃を取り付け同軸回転するように構成する。また、このガイドレールに前記ホルダーと嵌合して該ホルダーを案内する案内軌道を設ける。そして、前記ロール紙を切断する丸刃を駆動丸刃と従動丸刃とし、この駆動丸刃と従動丸刃を上下一対ずつ組み合わせて２組並設する。【選択図】　　　　　図２
2004123280.tif 000002
【特許請求の範囲】
【請求項１】
ガイドレールに沿って丸刃を装備したホルダーを駆動手段を介して往復摺動させることによってロール紙の自動切断を行うカッター装置において、前記ホルダーに前記ガイドレールに設けた案内軌道と圧接嵌合することによって回転移動するガイドローラを設け、このガイドローラに駆動丸刃を取り付け同軸回転するように構成したことを特徴とする、ロール紙のカッター装置。
【請求項２】
ガイドレールに沿って丸刃を装備したホルダーを駆動手段を介して往復摺動させることによってロール紙の自動切断を行うカッター装置において、前記ホルダーに前記ガイドレールに設けた案内軌道と圧接嵌合することによって回転移動するガイドローラを設け、このガイドローラに駆動丸刃を取り付け同軸回転するように構成すると共に、前記ガイドレールに前記ホルダーと嵌合して該ホルダーを案内する案内軌道を設けたことを特徴とする、ロール紙のカッター装置。
【請求項３】
前記ガイドローラを前記案内軌道へ押圧させる弾性手段を前記ホルダーに設けたことを特徴とする、請求項１と２のいずれかに記載のロール紙のカッター装置。
【請求項４】
前記ロール紙を切断する丸刃を駆動丸刃と従動丸刃とし、この駆動丸刃と従動丸刃を上下一対ずつ組み合わせて２組並設したことを特徴とする、請求項１乃至３のいずれかに記載のロール紙のカッター装置。
【発明の詳細な説明】
【０００１】
【発明の属する技術分野】
この発明は、ファクシミリやＯＡ機器のプリンター等に内蔵させたロール紙を適当な長さに切断する際に用いて好適なロール紙のカッター装置に関する。
【０００２】
【従来の技術】
従来、この種のロール紙のカッター装置として、ガイドレールに沿って摺動自在に取り付けたホルダーと、このホルダーを前記ガイドレールに沿って摺動させる駆動手段と、前記ホルダーに取り付けられ前記ガイドレールに当接することにより該ホルダーの摺動動作に伴って回転するローラ部と、このローラ部と同軸に取り付けられ共に回転するように設けられた丸刃と、この丸刃と同軸に取り付けられて該丸刃の外周に圧接し該丸刃と共に回転するように設けられた丸刃押えと、この丸刃押えと前記丸刃との間に外周部を嵌入させて前記ホルダーへ回転自在に取り付けられた駆動丸刃とから成るものが公知である（例えば、特許文献１参照）。
【０００３】
【特許文献】
特開平８−２７６３９１号公報（第２頁−４頁、図３−図５）
【０００４】
【発明が解決しようとする課題】
上述した従来公知のカッター装置は、ローラ部がガイドレールの上側にロール紙を該ガイドレールとの間に挟みつつ圧接する構造のものであったが、ローラ部自身がホルダーとの間に有するガタ及びホルダー自身がガイドレールとの間に有するガタ等により、当該ローラ部が移動時に蛇行する場合を生じ易く、時として丸刃による切断面が不揃いになるという問題があった。
【０００５】
また、従来公知のローラ紙のカッター装置は、ガイドレールに沿って往復移動するホルダーの往路のみしか、ロール紙を切断することができず、復路動作が無駄になるという問題もあった。
【０００６】
この発明の目的は、丸刃によるロール紙の切断が不揃いとならないように工夫したロール紙のカッター装置を提供せんとするにある。
【０００７】
この発明の次の目的は、ガイドレールに沿って移動するホルダーの往路と復路のどちらでもロール紙を切断できるように工夫したロール紙のカッター装置を提供せんとするにある。
【０００８】
【課題を解決するための手段】
上述した目的を達成するためにこの発明は、ガイドレールに沿って丸刃を装備したホルダーを駆動手段を介して往復摺動させることによってロール紙の自動切断を行うカッター装置において、前記ホルダーに前記ガイドレールに設けた案内軌道と圧接嵌合することによって回転移動するガイドローラを設け、このガイドローラに駆動丸刃を取り付け同軸回転するように構成することによって、駆動丸刃の移動時のふらつきをなくしたものである。
【０００９】
この発明はまた、ガイドレールに沿って丸刃を装備したホルダーを駆動手段を介して往復摺動させることによってロール紙の自動切断を行うカッター装置において、前記ホルダーに前記ガイドレールに設けた案内軌道と圧接嵌合することによって回転移動するガイドローラを設け、このガイドローラに駆動丸刃を取り付け同軸回転するように構成すると共に、前記ガイドレールに前記ホルダーと嵌合して該ホルダーを案内する案内軌道を設けることによって、ホルダーの移動時のふらつきをなくしたものである。
【００１０】
その際にこの発明は、前記ガイドローラを前記案内軌道へ押圧させる弾性手段を前記ホルダーに設けることによって、より一層駆動丸刃の移動時のふらつきをなくしたものである。
【００１１】
さらにこの発明は、前記ロール紙を切断する丸刃を駆動丸刃と従動丸刃とし、この駆動丸刃と従動丸刃を上下一対ずつ組み合わせて２組並設することにより、ホルダーの往路と復路においてロール紙を切断できるようにしたものである。
【００１２】
【発明の実施の形態】
以下にこの発明の一実施の形態を図面に基づいて詳細に説明する。
【００１３】
図面において、指示記号１ａ，１ｂは、例えばファクシミリの図示してない感熱サポート部に隣接して垂直方向に取り付けられる取付基板である。この取付基板１ａ，１ｂの下部長手方向には、断面略異形コの字形状を呈した、例えばアルミニウム製のガイドレール２が取り付けられており、そのガイド片部２ａを図示していない感熱サポート部側へ突出させている。取付基板１ａ，１ｂにはガイドレール２の上側に位置して同じくアルミニウム製のガイドプレート３が取り付けられており、そのガイド片部３ａを図示していない感熱サポート部側へ突出させている。各ガイド片部２ａ，３ａ間には、間隙が設けられ、ロール紙の案内スリット１ｃを形成している。
【００１４】
ガイドレール２には、ホルダー４が該ガイドレール２に沿って往復動作可能に取り付けられており、このガイドレール２の両端部に位置する取付基板１ａ，１ｂにはホルダー４に取り付けたエンドレスワイヤー５を懸架する駆動プーリ６と従動プーリ７が取り付けられている。尚、このエンドレスワイヤー５は、通常のベルト、歯付きベルト等に代えることができる。
【００１５】
さらに、取付基板１ａ，１ｂには、ガイドレール３の両端部に位置して、ホルダー４のストッパー８、９と、該ホルダー４によってＯＮ、ＯＦＦされるリミットスイッチ１０，１１が取りつけられている。
【００１６】
取付基板１ａの方には（図１において右側端部）駆動モータ１２が取り付けられ、この駆動モータ１２の回転軸に取り付けた駆動ギア１３ａは、この駆動ギア１３ａより大径の従動ギア１３ｂと噛合し、この従動ギア１３ｂに該従動ギア１３ｂと同軸に駆動プーリ６が取り付けられている。尚、指示記号１４は、調節プーリであり、この調節プーリ１４と駆動プーリ６との間に懸架したエンドレスワイヤー１５により、該駆動プーリ６の正逆の回転方向いずれの場合にも、駆動プーリ６とエンドレスワイヤー５との間に始動時のスリップをなくする機能を営むものである。エンドレスワイヤー１５はこれを各種ベルトに代えることができる。
【００１７】
ホルダー４は、ガイドレール３のロール紙案内面２ｂを挟んで上下に位置するハウジング１６と、このハウジング１６の下部ハウジング１６ｂ側に該下部ハウジング１６ｂとの間に空間部を設けて取り付けられたスライダー１７と、ハウジング１６の上部ハウジング１６ａ側に該上部ハウジング１６ａとの間に空間部を設けて取り付けられたカバー１８と、スライダー１７と下部ハウジング１６ｂの間に設けられた溝部１９内に上下可能に収装されたアクチュエーター２０とから成り、下部ハウジング１６ｂとスライダー１７との間に設けられた空間部内にそれぞれ支軸２１ａ，２１ｂを介して回転可能に一対の駆動丸刃２２ａ，２２ｂが所定間隔を空けて並設され、上部ハウジング１６ａとカバー１８との間に設けられた空間部内に支軸２３ａ，２３ｂを介して一対の従動丸刃２４ａ，２４ｂが駆動丸刃２２ａ，２２ｂとその各刃部２４ｃ，２４ｄ・２２ｃ，２２ｄを半径方向に交叉当接させつつ所定間隔を空けて並設されている。そして、駆動丸刃２２ａ，２２ｂと従動丸刃２４ａ，２４ｂの交叉位置は、ガイドレール２のロール紙案内部２ｂの上面と略一致している。アクチュエーター２０と溝部１９の上端部との間には、板バネからなる第１弾性手段２５が弾設され、アクチュエーター２０を常に下方へ押圧附勢させている。尚、この板バネは他の例えばコイルバネに代えても良い。
【００１８】
各駆動丸刃２２ａ，２２ｂには、同軸にガイドローラ２６ａ，２６ｂが取り付けられ、このガイドローラ２６ａ，２６ｂの外周に設けた周溝２６ｃ，２６ｄに嵌着させた、例えば、ゴム製の断面円形状を呈したＯリング２７ａ，２７ｂは、ガイドレール２のロール紙案内部２ｂの下面に設けた第１案内溝２ｃと嵌合している。この第１案内溝２ｃを設けた部分は、同時に案内突条２ｄとなっており、スライダー１７の上部に設けた一対の挟持部１７ａ間に嵌入保持されている。
【００１９】
従動丸刃２４ａ，２４ｂと上部ハウジング１６ａの各空間部の内側との間には、板バネから成る第２弾性手段２８が弾設され、従動丸刃２４ａ，２４ｂの刃部２４ｃ，２４ｄを常に駆動丸刃２２ａ，２２ｂの刃部２２ｃ，２２ｄに側面から圧接させている。
【００２０】
アクチュエーター２０の下面には、断面半円形状の突条部２０ａが設けられ、この突条部２０ａは、ガイドレール２の下側のホルダー案内部２ｄに設けられた第２案内溝２ｅ内と嵌合している。
【００２１】
したがって、図示してない感熱サポート部より取付基板１ａ，１ｂのロール紙の案内スリット１ｃを介して印刷済みのロール紙ａが、図３と図４に想像線で示したように、所定長さ分送り出されて停止すると、駆動モータ１２がＯＮされ、その回転駆動力が駆動ギア１３ａと従動ギア１３ｂを介して駆動プーリ６を回転させるので、この駆動プーリ６と従動プーリ７に懸架させたエンドレスワイヤー５に取り付けられたホルダー４がガイドレール２に案内されて該ガイドレール２に沿って図１に示された位置から左方向へ移動を開始する。すると、同時にガイドローラ２６ａ，２６ｂが回転するので、一方の駆動丸刃２２ａと従動丸刃２４ａによって、ロール紙ａが切断される。切断されたロール紙ａは、図１と図５に示したようにハウジング１６に設けたガイド溝１６ｃに案内されて分離される。
【００２２】
ロール紙ａがガイドレール２に沿って移動する一方の駆動丸刃２２ａと従動丸刃２４ａによって完全に切断され、かつ、もう一方の駆動丸刃２２ｂと従動丸刃２４ｂがロール紙ａの切断端部を通過したところで、ホルダー４は一方のストッパー８に当接停止し、ホルダー４のカバー１８に設けた作動突片１８ａがリミットスイッチ１１のアクチュエーター１１ａを押し、駆動モータ１２は駆動回路をＯＦＦさせる。これによって、ホルダー４の往路動作が終了する。この状態を示したのが図５である。
【００２３】
次いで、この状態においてロール紙がまた所定長さ分送り出されて停止すると、今度は駆動モータ１２は反対方向へ回転し、ホルダー４は先ほどとは逆の方向つまり図１にホルダー４が位置する方向へガイドレール２に沿って移動し、同時に回転するガイドローラ２６ａ，２６ｂに取り付けた駆動丸刃２２ａ，２２ｂと従動丸刃２４ａ，２４ｂの各一方の駆動丸刃２２ｂと従動丸刃２４ｂによってロール紙ａが切断される。切断されたロール紙ａはハウジング１６に設けたガイド溝１６ｃに案内され分離される。そして、このもう一方の駆動丸刃２２ｂと従動丸刃２４ｂがロール紙ａの端部を切断し終わり、先の一方の駆動丸刃２２ａと従動丸刃２４ａがロール紙ａの切断端面を通過したところで、ホルダー４はもう一方のストッパー９に当接係止し、ホルダー４のカバー１８に設けた作動突片１８ａがもう一方のリミットスイッチ１０のアクチュエーター１０ａを押して駆動モータ１２の駆動回路をＯＦＦさせる。この状態を示したものが図１である。このようにして、ホルダー４の復路においてもロール紙ａの切断を行うことができるものである。
【００２４】
そして、ロール紙ａを切断するためにガイドレール２に沿って左右へ移動するホルダー４は、第１弾性手段２５がアクチュエーター２０を下方向へ押圧し、この下方へ押圧されるアクチュエーター２０によって、ガイドローラ２６ａ，２６ｂが上方へ押圧される力を受けるので、該ガイドローラ２６ａ，２６ｂに取り付けたＯリング２７ａ，２７ｂはガイドレール２のロール紙案内部２ｂの下面の案内突条２ｄに設けた第１案内溝２ｃと圧接嵌合し、さらに、アクチュエーター２０の突条部２０ａは第２案内溝２ｅと圧接嵌合していることにより、各ガイドローラ２６ａ，２６ｂに固定させた各駆動丸刃２２ａ，２２ｂの移動軌跡がふらつくことなく安定し、さらにホルダー４自体も移動時にその移動軌跡がふらつくことなく安定することから、ロール紙ａの切断面が波打つことなく、きれいに直線状にカットされることになる。
【００２５】
【発明の効果】
この発明は以上のように構成したので、次のような効果を奏し得る。
【００２６】
請求項１のように構成すると、駆動丸刃を取り付けたガイドローラの移動軌跡がふらつくことなく安定するので、ローラ紙の切断面が波状になることを可及的に防止することができるものである。
【００２７】
請求項２のように構成すると、請求項１の効果を奏した上で、ホルダーの移動時のふらつきを防止し、さらに駆動丸刃の回転をより確実なものとして、ロール紙の切断面が波状になるのを防止することができるものである。
【００２８】
請求項３のように構成すると、請求項１と２の効果を奏した上で、さらにガイドローラのふらつきをより確実に防止し、ロール紙の切断面をより一層きれいなものとすることができるものである。
【００２９】
請求項４のように構成すると、ホルダーの往路と復路のどちらでもロール紙を切断できるので無駄な動作をなくし、消費電力を節約することができる。
【図面の簡単な説明】
【図１】この発明に係るロール紙のカッター装置の正面図である。
【図２】図１に示したロール紙のカッター装置のホルダーの部分を拡大かつ一部を欠載して見た拡大正面図である。
【図３】図２のＡ−Ａ線断面図である。
【図４】図２のＢ−Ｂ線断面図である。
【図５】ホルダーの復路の開始位置状態を説明する説明図である。
【符号の説明】
２　　　ガイドレール
２ｂ　　ロール紙案内部
２ｃ　　第１案内溝
２ｄ　　案内突条
２ｅ　　第２案内溝
４　　　ホルダー
５　　　エンドレスワイヤー
１２　　駆動モータ
１３ａ　駆動ギア
１３ｂ　従動ギア
１７　　スライダー
２０　　アクチュエーター
２２ａ　駆動丸刃
２２ｂ　駆動丸刃
２４ａ　従動丸刃
２４ｂ　従動丸刃
２５　　第１弾性手段
２６ａ　ガイドローラ
２６ｂ　ガイドローラ
２７　　Ｏリング
２８ａ　第２弾性手段
２８ｂ　第２弾性手段
ａ　　　ロール紙
【図１】
2004123280.tif 000003
【図２】
2004123280.tif 000004
【図３】
2004123280.tif 000005
【図４】
2004123280.tif 000006
【図５】
2004123280.tif 000007